(57)【要約】【課題】使用者の省エネ意識を高める効果を向上させた熱源システムのリモコン装置を提供する。【解決手段】エネルギー消費量算出部１１により算出された熱源機１におけるエネルギー消費量に基づいて、省エネルギーを促すための省エネ表示Ｓを、表示部２０に表示させる表示制御部１２とを備えた熱源機１のリモコン装置２において、表示制御部１２は、表示部２０における省エネ表示Ｓ以外の表示状況に応じて、省エネ表示Ｓの表示箇所と大きさを変更する。【選択図】  図４
2012112559.tif 000002
【特許請求の範囲】
【請求項１】
熱源機を遠隔操作するための操作部と、
表示部と、
前記熱源機におけるエネルギー消費量を算出するエネルギー消費量算出部と、
該エネルギー消費量算出部により算出されたエネルギー消費量に基づいて、省エネルギーを促すための省エネマークを、前記表示部に表示させる表示制御部とを備えた熱源機のリモコン装置において、
前記表示制御部は、前記表示部における前記省エネマーク以外の表示状況に応じて、前記省エネマークの表示位置を変更することを特徴とする熱源機のリモコン装置。
【請求項２】
請求項１記載の熱源機のリモコン装置において、
前記表示制御部は、前記表示部における前記省エネマーク以外の表示状況に応じて、前記省エネマークのサイズを変更することを特徴とする熱源機のリモコン装置。
【請求項３】
請求項１又は請求項２記載の熱源機のリモコン装置において、
前記熱源機は給湯機能を有して、前記表示部には給湯設定温度が表示され、
前記表示制御部は、前記給湯設定温度の表示との間隔を所定値以下として、前記省エネマークを表示することを特徴とする熱源機のリモコン装置。
【請求項４】
請求項１から請求項３のうちいずれか１項記載の熱源機のリモコン装置において、
前記熱源機は複数種類の運転を行なう機能を有し、
前記表示制御部は、前記複数種類の運転のうち、実行中又は予約設定中である運転のマークを、前記表示部の所定エリアに表示し、該所定エリアに表示されている運転のマークの個数が減少するに従って、前記省エネマークのサイズを拡大して前記所定エリアに表示することを特徴とする熱源機のリモコン装置。
【発明の詳細な説明】
【技術分野】
【０００１】
本発明は、給湯配管への湯の供給や温水端末への温水の供給を行う熱源システムのリモコン装置に関する。
【背景技術】
【０００２】
従来より、電気、ガス等のエネルギーを消費するエネルギー消費装置と無線通信を行って、エネルギー消費装置を遠隔操作するリモコン装置において、１ヶ月あたりのエネルギー消費量の目標値を設定して現時点でのエネルギーの使用実績値と比較し、目標値と使用実績値との差の比に応じてパターンを変化させる表示（省エネ促進表示）を行うようにした構成が提案されている（例えば、特許文献１参照）。
【０００３】
また、暖房温水システムにおいて、複数の温水暖房端末を遠隔操作する集中リモコンの構成として、集中リモコンの表示部に、各温水暖房端末用の操作画面を切替えて表示するようにした構成が提案されている（例えば、特許文献２参照）。
【先行技術文献】
【特許文献】
【０００４】
【特許文献１】特開２００６−１３７８０号公報
【特許文献２】特開２００３−９２６６号公報
【発明の概要】
【発明が解決しようとする課題】
【０００５】
熱源システムのリモコン装置の表示部には、給湯運転や暖房運転の設定状況及び実行状況等の種々の情報が表示される。そのため、省エネ促進表示を行うための空きスペースが僅かなものとなって、省エネ促進表示のサイズが小さくなり、使用者の省エネ意識を高める効果が低くなるという不都合があった。
【０００６】
本発明は上記不都合を解消し、省エネ促進表示による使用者の省エネ意識の向上効果を高めることができる熱源システムのリモコン装置を提供することを目的とする。
【課題を解決するための手段】
【０００７】
本発明は上記目的を達成するためになされたものであり、熱源機を遠隔操作するための操作部と、表示部と、前記熱源機におけるエネルギー消費量を算出するエネルギー消費量算出部と、該エネルギー消費量算出部により算出されたエネルギー消費量に基づいて、省エネルギーを促すための省エネマークを、前記表示部に表示させる表示制御部とを備えた熱源機のリモコン装置において、前記表示制御部は、前記表示部における前記省エネマーク以外の表示状況に応じて、前記省エネマークの表示位置を変更することを特徴とする（第１発明）。
【０００８】
第１発明によれば、前記表示制御部により、前記省エネマークの表示位置が、前記表示部における前記省エネマーク以外の表示状況に応じて変更される。これにより、前記省エネマークの表示位置を固定する場合に比べて、前記省エネマークの表示位置を使用者が視認し易い位置に変更することができるため、前記省エネマークによる使用者の省エネ意識の向上効果を高めることができる。
【０００９】
また、第１発明において、前記表示制御部は、前記表示部における前記省エネマーク以外の表示状況に応じて、前記省エネマークのサイズを変更することを特徴とする（第２発明）。
【００１０】
第２発明によれば、前記表示制御部により、前記表示部における前記省エネマーク以外の表示状況に応じて、前記省エネマークのサイズを変更することによって、前記表示部の非表示エリアを有効に活用して、前記省エネマークの視認性を高めることができる。
【００１１】
また、前記熱源機は給湯機能を有して、前記表示部には給湯設定温度が表示され、前記表示制御部は、前記給湯設定温度の表示との間隔を所定値以下として、前記省エネマークを表示することを特徴とする（第３発明）。
【００１２】
第３発明によれば、前記表示部において使用者の目を引き易い箇所である、給湯設定温度の表示の近くに前記省エネマークを表示することによって、前記省エネマークの視認性を一層高めることができる。
【００１３】
また、前記熱源機は複数種類の運転を行なう機能を有し、前記表示制御部は、前記複数種類の運転のうち、実行中又は予約設定中である運転のマークを、前記表示部の所定エリアに表示し、該所定エリアに表示されている運転のマークの個数が減少するに従って、前記省エネマークのサイズを拡大して前記所定エリアに表示することを特徴とする（第４発明）。
【００１４】
第４発明によれば、前記特定エリアに表示される前記運転のシンボルの個数が減少するに従って増大する前記所定エリア内の非表示エリアを活用して、前記省エネ表示のサイズを拡大することにより、前記省エネ表示の視認性を高めて、使用者の省エネ意識の向上効果を高めることができる。
【図面の簡単な説明】
【００１５】
【図１】熱源システムの構成図。
【図２】図１に示した台所リモコン及び浴室リモコンの外観図。
【図３】表示制御部の作動フローチャート。
【図４】台所リモコンの「初期画面」の説明図。
【図５】省エネマークの説明図。
【図６】台所リモコンの「メンテナンス１画面」の説明図。
【図７】台所リモコンの「初期設定画面」の説明図。
【図８】台所リモコンの「メンテナンス２画面」の説明図。
【図９】台所リモコンの「試運転画面」の説明図。
【図１０】台所リモコンの「メニュー画面」の説明図。
【図１１】台所リモコンの「床暖房設定画面」の説明図。
【図１２】台所リモコンの「暖房設定画面」の説明図。
【図１３】台所リモコンの「浴室暖房設定画面」，「Ｅcoシグナル設定画面」，「ふろ画面」の説明図。
【図１４】台所リモコンの「リモコン画面」の説明図。
【図１５】台所リモコンの「その他画面」，「ストップウォッチ画面」の説明図。
【図１６】台所リモコンの「エネルック（登録商標）画面」（１／３）の説明図。
【図１７】台所リモコンの「エネルック（登録商標）画面」（２／３）の説明図。
【図１８】台所リモコンの「エネルック（登録商標）画面」（３／３）の説明図。
【図１９】浴室リモコンの「初期画面」，「メニュー画面」，「スクリーンセーバー画面」の説明図。
【図２０】浴室リモコンの「メンテナンス１画面」，「メンテナンス２画面」の説明図。
【図２１】浴室リモコンの「ヒーリングミュージック画面」，「ＢＧＭ音量画面」，「エネＬＩＶＥ設定画面」の説明図。
【図２２】浴室リモコンの「選べるＥｃｏモード画面」，「Ｅｃｏシグナル設定画面」の説明図。
【図２３】浴室リモコンの「ふろ画面」の説明図。
【図２４】浴室リモコンの「浴室暖房画面」，「リモコン画面」の説明図。
【図２５】浴室リモコンの「その他画面」，「ストップウォッチ画面」の説明図。
【発明を実施するための形態】
【００１６】
本発明の実施形態について、図１〜図２５を参照して説明する。図１を参照して、本実施形態の熱源システムは、熱源機１、台所リモコン２（本発明の熱源機のリモコン装置に相当する）、浴室リモコン４、浴室暖房機６０、第１床暖房機６１、及び第２床暖房機６２を備えている。
【００１７】
熱源機１には給水管５及び給湯管６が接続され、熱源機１は、給水管５から供給される水を加熱して、給湯設定温度の湯をカラン７等が接続された給湯管６に供給する給湯運転を実行する。
【００１８】
また、熱源機１は、暖房往き管６０ａ及び暖房戻り管６０ｂを介して浴室暖房機６０と接続され、暖房往き管６１ａ及び暖房戻り管６１ｂを介して第１床暖房機６１と接続され、暖房往き管６２ａ及び暖房戻り管６２ｂを介して第２床暖房機６２と接続されている。
【００１９】
そして、熱源機１は、暖房往き管６０ａ及び暖房戻り管６０ｂを介して温水を循環供給することにより、浴室暖房機６０の暖房運転を実行する。同様に、熱源機１は、暖房往き管６１ａ及び暖房戻り管６１ｂを介して温水を循環供給することにより、第１床暖房機６１の暖房運転を実行し、暖房往き管６２ａ及び暖房戻り管６２ｂを介して温水を循環供給することにより、第２床暖房機６２の暖房運転を実行する。
【００２０】
さらに、熱源機１は、浴槽往き管８ａ及び浴槽戻り管８ｂを介して浴槽８と接続され、浴槽往き管８ａ及び浴槽戻り管８ｂを介して、浴槽８に湯張り設定量分の湯を供給する自動湯張り運転と、浴槽８内の湯水を浴槽往き管８ａ及び浴槽戻り管８ｂを介して循環させながら加熱する追焚き運転と、浴槽８の排水時に少量のお湯を浴槽往き管８ａ及び浴槽戻り管８ｂに流して洗浄する配管自動洗浄運転とを実行する。
【００２１】
熱源機１は、ＣＰＵ，メモリ等により構成された電子ユニットであるコントローラ１０を備えている。コントローラ１０は、メモリに保持された熱源機１の制御用プログラムをＣＰＵで実行することにより、各リモコン２，４の操作に応じて熱源機の作動を制御して、上記給湯運転、暖房運転、自動湯張り運転、追焚き運転、及び配管自動洗浄運転を実行する。
【００２２】
また、コントローラ１０は、ＣＰＵで上記プログラムを実行することにより、熱源機１におけるエネルギー消費量を算出するエネルギー消費量算出部１１と、台所リモコン２及び浴室リモコン４の表示部への表示内容を制御する表示制御部１２として機能する。
【００２３】
さらに、コントローラ１０は、使用者による台所リモコン２及び浴室リモコン４の意図しない操作によって、台所リモコン２及び浴室リモコン４の表示部が、後述する「メンテナンス１画面」及び「メンテナンス２画面」に切り換わることを回避するための切換制限スイッチ１３を備えている。
【００２４】
次に、図２（ａ）を参照して、台所リモコン２は、表示部２０、エコシグナル点灯部２１、メニュースイッチ２２、ダウンスイッチ２３、アップスイッチ２４、決定スイッチ２５、戻るスイッチ２６、エネルック（登録商標）スイッチ２７、運転スイッチ２８、自動スイッチ２９、おいだきスイッチ３０、及び通話スイッチ３１を備えている。
【００２５】
表示部２０には、熱源機１の作動状況や各運転の設定状況等が表示制御部１２による制御に応じて表示される。エコシグナル点灯部２１には、熱源機１の運転状況に応じて、省エネの程度を示すエコシグナルが表示される。メニュースイッチ２２〜戻るスイッチ２６は、後述するように、使用者が各運転の開始／停止の指示や運転条件の設定等を行なうためのスイッチである。
【００２６】
エネルック（登録商標）スイッチ２７は、後述する「エネルック（登録商標）画面」の表示を指示するためのスイッチである。運転スイッチ２８は、熱源機１を各運転の実行が可能な運転状態と、各運転の実行が不能な待機状態とに切替えるためのスイッチである。
【００２７】
自動スイッチ２９は、自動湯張り運転の開始と停止を指示するためのスイッチである。おいだきスイッチ３０は、追焚き運転の開始と停止を指示するためのスイッチである。通話スイッチ３１は、浴室リモコン４とのインターホン通話の開始と停止を指示するためのスイッチである。
【００２８】
次に、図２（ｂ）を参照して、浴室リモコン４は、台所リモコン２と同様に、表示部４０、エコシグナル点灯部４１、メニュースイッチ４２、ダウンスイッチ４３、アップスイッチ４４、決定スイッチ４５、戻るスイッチ４６、運転スイッチ４８、自動スイッチ４９、おいだきスイッチ５０、通話スイッチ５１、及び優先スイッチ５２を備えている。
【００２９】
浴室リモコン４の各スイッチの機能は、台所リモコン２の同名のスイッチと同じである。優先スイッチ５２は、給湯運転における給湯温度を、台所リモコン２による設定温度に優先させて、浴室リモコン４による設定温度とすることを指示するためのスイッチである。
【００３０】
次に、図３に示したフローチャート及び図４〜図１７に示した表示画面の説明図を参照して、台所リモコン２の表示部２０の表示態様について説明する。
【００３１】
使用者が台所リモコン２の運転スイッチ２８を操作して、熱源機１が待機状態から運転状態に切り換わると、表示制御部１２は、図４（ａ）の［０００１］の「初期画面」を表示部２０に表示する。表示制御部１２は、図３のフローチャートにより、熱源機１の作動状況に応じて「初期画面」の表示内容を変更する。
【００３２】
表示制御部１２は、図３のＳＴＥＰ１で、エネルック（登録商標）マーク（図４（ａ）では熊のキャラクターマークＳ、本発明の省エネマークに相当する）が「表示設定」になっているか否かを判断する。そして、エネルック（登録商標）マークが「表示設定」になっているときはＳＴＥＰ２に進み、ＳＴＥＰ３以下の処理によりエネルック（登録商標）を「初期画面」に表示する。一方、エネルック（登録商標）が「非表示設定」になっているときにはＳＴＥＰ４に分岐し、この場合は「初期画面」にエネルック（登録商標）マークは表示されない。
【００３３】
ＳＴＥＰ２で、表示制御部１２は、熱源機１の各運転（配管自動洗浄運転、自動湯張り運転、浴室暖房運転、第１床暖房運転、第２床暖房運転）の状況を判断する。そして、いずれかの運転が実行中若しくは予約設定中であるときはＳＴＥＰ２０に分岐し、いずれの運転も停止中或いは予約設定がされていないときにはＳＴＥＰ３に進む。
【００３４】
ＳＴＥＰ３では、実行中若しくは予約設定がされた運転がないので、表示制御部１２は、図４（ａ）の９０ｇに示したように運転表示エリアＬ（本発明の所定エリアに相当する）に運転マークの表示をせずに、エネルック（登録商標）マークＳを大サイズで表示する。そして、ＳＴＥＰ４に進み、熱源機４が運転状態であればＳＴＥＰ１に戻り、運転状態でなければＳＴＥＰ５に進んで処理を終了する。
【００３５】
ＳＴＥＰ２０で、表示制御部１２は、実行中若しくは予約設定中の運転のマークを、運転表示エリアＬに表示する。図４（ａ）の９０ａは第２床暖房運転の予約設定がされている場合、９０ｂは配管自動洗浄運転，自動湯張り運転，浴室暖房運転，第１床暖房運転，第２床暖房運転の予約設定がされている場合、９０ｃは自動湯張り運転，浴室暖房運転
，第１床暖房運転，第２床暖房運転の予約設定されている場合の表示例である。
【００３６】
また、図４（ａ）の９０ｄは浴室暖房運転，第１床暖房運転，第２床暖房運転の予約設定されている場合の表示例、９０ｅは第１床暖房運転,第２床暖房運転の予約設定がされている場合、９０ｆは第２床暖房運転の予約設定がされている場合の表示例である。
【００３７】
続くＳＴＥＰ２１で、表示制御部１２は、実行中又は予約設定中の運転の数Ｎを判断する。そして、運転の数Ｎが１のときはＳＴＥＰ３に進み、表示制御部１２は、エネルック（登録商標）マークＳを大サイズで運転表示エリアＬに表示する（図４（ａ）の９０ｆの状態）。また、運転の数Ｎが２のときはＳＴＥＰ３０に進み、表示制御部１２は、エネルック（登録商標）マークＳを大サイズで、運転表示エリアＬに表示されている運転のマークの上部に表示する（図４（ａ）の９０ｅの状態、９０ｅでは第１床暖房運転のマークの上部にエネルック（登録商標）マークＳが大サイズで表示されている）。
【００３８】
また、運転の数Ｎが３又は４のときはＳＴＥＰ３１に進み、表示制御部１２は、エネルック（登録商標）Ｓを小サイズで、運転表示エリアＬに表示されている運転のマークの上部に表示する（図４（ａ）の９０ｄ，９０ｃの状態、９０ｄでは浴室暖房運転のマークの上部にエネルック（登録商標）マークＳが小サイズで表示され、９０ｃでは自動湯張り運転のマークの上部にエネルック（登録商標）マークＳが小サイズで表示されている）。また、運転の数Ｎが５のときはＳＴＥＰ３２に進み、表示制御部１２は、エネルック（登録商標）マークＳを小サイズで運転表示エリアＬの上方に表示する（図４（ａ）の９０ｂの状態）。
【００３９】
以上説明したように、表示制御部１２は、運転表示エリアＬに表示される運転の数Ｎに応じて、エネルック（登録商標）マークＳの位置とサイズを変更して、運転表示エリアＬの非表示部又は運転表示エリアＬの上方に表示している。そして、これにより、表示部２０の非表示部を有効に活用してエネルック（登録商標）マークＳの視認性を向上させ、使用者の省エネに関する意識を高めている。
【００４０】
なお、エネルック（登録商標）マークＳの表示位置を、使用者が視認する頻度が多いと想定される給湯設定温度（図４（ａ）では４２℃）の表示箇所との間隔を所定値以下とすることにより、使用者がエネルック（登録商標）マークＳを視認する機会を増やして、省エネルギーに対する意識をさらに高めることができる。
【００４１】
また、各運転の実行中に故障が検知されたときは、表示制御部１２は、図４（ｂ）に示したように、故障の内容を表示する。図４（ｂ）では、浴槽８の栓（図示しない）が外れていることを報知する表示「浴槽の栓を確認してください…」がスクロールして表示されている。また、後述する「リモコン画面」で、シンプル表示が設定されているときには、表示制御部１２は、図４（ｃ）示したように、表示部２０の表示項目を減少させる。
【００４２】
次に、図５を参照して、表示制御部１２は、後述する「エネルック（登録商標）画面」で設定された目標値に対する省エネの達成度合に応じて、エネルック（登録商標）マークの表示態様を、良〜悪の５段階に切替える。また、表示制御部１２は、後述する「エネルック（登録商標）画面」で選択されたエネルック（登録商標）マーク（１００ａ〜１００ｆのうちのいずれか）を表示する。なお、表示制御部１２により、季節（春，夏，秋，冬）の移り変わりに応じて、エネルック（登録商標）マークを１００ｃ〜１００ｆに切替えるようにしてもよい。
【００４３】
次に、図６〜図７を参照して「メンテナンス１画面」について説明する。熱源システムのメンテナンス作業者等が、図４（ａ）の「初期画面」が表示された状態で、熱源機１のコントローラ１０に備えられた切換制限スイッチ１３を操作してから所定時間（例えば１０分）以内に、ダウンスイッチ２３とアップスイッチ２４を同時操作すると、表示制御部１２は、図６の［３０００］の「メンテナンス１画面」を表示部２０に表示して、「１．初期設定」〜「５．本体機種設定」の選択を可能とする。
【００４４】
このように、熱源機１に備えられた切換制限スイッチ１３の操作を、「メンテナンス１画面」への切換条件に加えることにより、熱源システムの使用者による台所リモコン２の操作によって「メンテナンス１画面」に切り換わり、不適切な設定がなされることを防止している。
【００４５】
［３０００］の「メンテナンス１画面」が表示された状態で、「１．初期設定」が選択されると、表示制御部１２は、［３００１］画面を表示して、「１．ふろＨＡ」〜「５．メータパルス」の選択を可能とする。また、「２．床暖房メンテ情報」が選択されると、表示制御部１２は、［３０１５］画面を表示して第１床暖房機６１（図中床暖房１）、第２床暖房機６２（図中床暖房２）、及び浴室暖房機６０（図中暖房）の設定値を表示する。
【００４６】
また、「３．時刻補正」が選択されると、表示制御部１２は、［３０１９］画面を表示して時刻補正の設定を可能にする。また、「４．本体メンテ設定」が選択されると、表示制御部１２は、［３０２０］画面を表示して浴槽設定の切換を可能にする。
【００４７】
［３００１］の「初期画面」が表示された状態で、「１．ふろＨＡ」〜「５．メータパルス」のいずれかが選択されると、表示制御部１２は、選択項目に応じて、図７の［３００２］画面〜［３０１２］，［３０１４］画面を表示する。
【００４８】
次に、図８を参照して、「メンテナンス２画面」について説明する。熱源システムのメンテナンス作業者等が、図４（ａ）の「初期画面」が表示された状態で、熱源機１のコントローラ１０に備えられた切換制限スイッチ１３を操作してから所定時間（例えば１０分）以内に、ダウンスイッチ２３とアップスイッチ２４とメニュースイッチ２２を同時操作すると、表示制御部１２は、図８の［３０２２］の「メンテナンス２メニュー」を表示部２０に表示する。［３０２２］画面での選択操作に応じて、例えば［３０１７］，［３０２８］画面の「故障ガイダンスデモ」、［３０２５］，［３０２６］画面の「エネルック（登録商標）デモ」が表示される。
【００４９】
次に、図９を参照して、「試運転表示」について説明する。熱源機１が熱源システムの試運転を実行しているときに、表示制御部１２は、熱源機１から送信される信号に応じて、［３０１６］画面を表示する。表示制御部１２は、試運転の進行に応じて熱源機から送信される信号に従って、表示内容を図９に示したように順次切替える。
【００５０】
次に、図１０〜図１５を参照して、「メニュー画面」での表示内容について説明する。図４（ａ）の［０００１］の「初期画面」が表示された状態で、メニュースイッチ２２が操作されると、表示制御部１２は、図１０の［１０００］の「メニュー画面」を表示部２０に表示する。
【００５１】
［１０００］の「メニュー画面」では、「１．ＢＧＭ音量」〜「１４．ストップウォッチ」の選択が可能である。「１．ＢＧＭ音量」が選択されると、表示制御部１２は、［１０４３］画面を表示してＢＧＭ音量の変更を可能にする。「２．床暖房１」が選択されると、表示制御部１２は、［１００１］画面を表示して第１床暖房機６１の暖房運転の開始と停止の指示を可能にする。
【００５２】
［１０００］の「メニュー画面」が表示された状態で、「４．床暖房設定」が選択されると、表示制御部１２は、図１１の［１００２］画面を表示して「１．床暖房１」と「２．床暖房２」の選択を可能にする。「１．床暖房１」が選択されると、表示制御部１２は、［１００３］画面を表示して「１．温度レベル」〜「４．部屋名称の登録」の選択を可能にする。そして、表示制御部１２は、選択項目に応じて、［１００５］画面、［１００６］画面、［１００７］画面、［１００８］画面等を表示する。
【００５３】
［１０００］の「メニュー画面」が表示された状態で、「６．暖房設定」が選択されると、表示制御部１２は、図１２の［１０１０］画面を表示して「１．温度レベル」〜「３．夜間省エネ」の選択を可能にする。「３．夜間省エネ」が選択されると、表示制御部１２は、［１０１５］，［１０１６］画面を表示して夜間省エネのレベルと時間帯の設定を可能にする。
【００５４】
［１０００］の「メニュー画面」の選択項目からは省略されているが、「浴室暖房設定」が選択されると、表示制御部１２は、図１３（ａ）の［１０１７］画面を表示して、［１０１８］画面による予約設定／解除と［１０１９］画面による予約時刻の変更を可能にする。
【００５５】
［１０００］の「メニュー画面」が表示された状態で、「８．エコシグナル設定」が選択されると、表示制御部１２は、図１３（ａ）の［１０３０］画面を表示して湯量の設定を可能とする。
【００５６】
［１０００］の「メニュー画面」が表示された状態で、「９．ふろ」が選択されると、表示制御部１２は、図１３（ｂ）の［１０３２］画面を表示して「１．ふろ予約」〜「６．ふろ保温時間」の選択を可能とする。表示制御部１２は、例えば「３．ふろ温度」が選択されると［１０３５］画面を表示し、「４．ふろ水位」が選択されると［１０３６］画面を表示し、「６．ふろ保温時間」が選択されると［１０４１］画面を表示する。
【００５７】
［１０００］の「メニュー画面」が表示された状態で、「１０．リモコン」が選択されると、表示制御部１２は、図１４の［１０４２］画面を表示して「１．リモコン音声音量」〜「９．コントラスト」の設定を可能とする。表示制御部１２は、例えば「１．リモコン音声音量」が選択されると［１０４４］画面を表示し、「２．シンプル表示」が選択されると［１０４８］画面を表示し、「５．誕生日設定」が選択されると［１０５２］，［１０５３］画面を表示し、「７．画面色反転」が選択されると［１０５５］画面を表示し、「８．明るさ」が選択されると［１０５６］画面を表示する。
【００５８】
［１０００］の「メニュー画面」が表示された状態で、「１２．その他」が選択されると、表示制御部１２は、図１５の［１０５８］画面を表示して、静音運転（暖房時）の設定を可能とする。
【００５９】
［１０００］の「メニュー画面」が表示された状態で、「１４．ストップウォッチ」が選択されると、表示制御部１２は、図１５の［１０６０］画面を表示して、ストップウォッチのスタート／ストップ／リセットの指示を可能とする。
【００６０】
次に、図４（ａ）の［０００１］の初期画面が表示された状態で、エネルック（登録商標）スイッチ２７が操作されると、表示制御部１２は、図１６の［２０００］の「エネルック（登録商標）画面」を表示して、「１．まとめてＬＩＶＥ」〜「９．エネルック（登録商標）設定」の選択を可能とする。
【００６１】
［２０００］の「エネルック（登録商標）画面」で「１．まとめてＬＩＶＥ」が選択されると、表示制御部１２は、［２００１］画面を表示し、「２．まとめてルック」が選択されると［２００２］画面を表示する。また、表示制御部１２は、「３．環境貢献］が選択されると、［２００３］，［２１４５］画面を表示する。
【００６２】
［２０００］の「エネルック（登録商標）画面」で「４．ＣＯ２」が選択されると、表示制御部１２は、［２００４］画面を表示して、［２００５］〜［２００７］画面による月単位でのＣＯ２の排出量と、［２００８］〜［２０１０］画面による週単位でのＣＯ２の排出量と、［２０１１］〜［２０１３］画面による日単位でのＣＯ２の排出量とを、切替えて表示する。
【００６３】
［２０００］の「エネルック（登録商標）画面」で「９．エネルック（登録商標）設定」が選択されると、表示制御部１２は、図１７の［２１１２］の「エネルック（登録商標）設定画面」を表示して、「１．エネＬＩＶＥ設定」〜「８．設定リセット」の選択を可能とする。
【００６４】
［２１１２］の「エネルック（登録商標）画面」で「１．エネＬＩＶＥ設定」が選択されると、表示制御部１２は、［２１１３］画面を表示して、給湯器のガス使用量、お湯使用量、電気使用量の表示／非表示の設定を可能とする。
【００６５】
［２１１２］の「エネルック（登録商標）画面」で「２．目標」が選択されると、表示制御部１２は、［２１１４］画面を表示して、現在のガス、お湯、電気の目標値を表示する。また、表示制御部１２は、［２１１７］，［２１１８］画面により、ＣＯ２排出量等の目標値の選択を可能とする。
【００６６】
［２１１２］の「エネルック（登録商標）画面」で「３．単価」が選択されると、表示制御部１２は［２１２６］画面を表示して、ガス，水道，電気の現在の単価を表示すると共に、各単価の設定を可能とする。
【００６７】
［２１１２］の「エネルック（登録商標）画面」で「４．エネルック（登録商標）マーク」が選択されると、表示制御部１２は図１８の［２１３１］，［２１３２］画面を表示して、エネルック（登録商標）マークの表示／非表示の設定と、表示するエネルック（登録商標）マークの種類の選択を可能にする。
【００６８】
［２１１２］の「エネルック（登録商標）画面」で「５．ＣＯ２係数」が選択されると、表示制御部１２は［２１３４］画面を表示して、ガス，水道，電気，石油の現在のＣＯ２係数を表示すると共に、各係数の設定を可能にする。
【００６９】
次に、図１９〜図２５に示した表示画面の説明図を参照して、浴室リモコン４の表示部４０の表示態様について説明する。
【００７０】
使用者が浴室リモコン４の運転スイッチ４８を操作して、熱源機１が待機状態から運転状態に切り換わると、表示制御部１２は、図１９の［４００１］の「初期画面」を表示部４０に表示する。表示制御部１２は、熱源機１の作動状況に応じて「初期画面」の表示内容を変更する。
【００７１】
表示制御部１２は、熱源機１の運転（配管自動洗浄運転、自動湯張り運転、浴室暖房運転）の状況を判断する。そして、実行中若しくは予約設定がされている運転を、表示部４０に表示する。表示制御部１２は、風呂洗浄運転と自動湯張り運転と浴室暖房運転の全てが運転若しくは予約設定がされているときは、１３０ａに示したように、表示部４０の運転表示エリアＭに「洗浄」（風呂洗浄を示す），「ふろ」（自動湯張りを示す），「浴暖」（浴室暖房を示す）の各マークを表示する。
【００７２】
また、表示制御部１２は、自動湯張り運転と浴室暖房運転の実行若しくは予約設定がされているときは、１３０ｂに示したように、表示部４０の運転表示エリアＭに「ふろ」，「浴暖」のマークを表示し、浴室暖房運転のみの実行若しくは予約設定がされているときは、１３０ｃに示したように、表示部４０の運転表示エリアＭに「浴暖」マークを表示する。また、表示制御部１２は、実行又は予約設定がされている運転がないときには、１３０ｄに示したように、表示部４０の運転表示エリアＭへのマークの表示は行わない。
【００７３】
なお、１２０に示したように、表示制御部１２は、実行中の運転のマークについては時計形状を非表示とし、予約設定中の運転のマークについては時計形状を全表示する。さらに、表示制御部１２は、予約運転中の運転のマークについては、予約運転の残り時間に応じて時計形状を全表示から非表示まで段階的に変化させる。
【００７４】
［４００１］の「初期画面」が表示された状態でメニュースイッチ４２が操作されると、表示制御部１２は、表示部４０を［５０００］の「メニュー画面」に切替えて、「１．ＢＧＭ音量」〜「１５．その他」の選択を可能にする。
【００７５】
また、表示制御部１２は、「初期画面」が表示された状態で、浴室リモコン４の操作がなされない状況が所定時間以上継続したときに、［４００５］の「スクリーンセーバー画面」に移行する。「スクリーンセーバー画面」では、表示制御部１２は、１２５に示したように、１行表示を右から左にスクロールさせつつ、上から下に向けて繰り返しシフトさせて表示する。
【００７６】
熱源システムのメンテナンス作業者等が、［４００１］の「初期画面」が表示された状態で、熱源機１のコントローラ１０に備えられた切換制限スイッチ１３を操作してから所定時間（例えば１０分）以内に、ダウンスイッチ４３とアップスイッチ４４を同時操作すると、表示制御部１２は、図２０（ａ）の［６０００］の「メンテナンス１画面」を表示して、「１．初期設定」〜「３．本体機種設定」の選択を可能にする。表示制御部１２は、「１．初期設定」が選択されると［６００１］，［６００２］画面を表示し、「２．本体メンテ設定」が選択されると［６００３］画面を表示する。
【００７７】
熱源システムのメンテナンス作業者等が、［４００１］の「初期画面」が表示された状態で、熱源機１のコントローラ１０に備えられた切換制限スイッチ１３を操作してから所定時間（例えば１０分）以内に、ダウンスイッチ４３とアップスイッチ４４とメニュースイッチ４２を同時操作したときに、表示制御部１２は、図２０（ｂ）の［６００５］の「メンテナンス２画面」を表示して、「１．故障ガイダンスデモ」と「２．Ｅｃｏシグナルデモ」の選択を可能にする。表示制御部１２は、「１．故障ガイダンスデモ」が選択されると［６００６］，［６００８］画面を表示する。
【００７８】
次に、図１９に示した［５０００］の「メニュー画面」が表示された状態で、「５．ヒーリングミュージック」が選択されると、表示制御部１２は、図２１の［５０３８］画面を表示して、ヒーリングミュージックの停止と選択を可能にする。また、「１．ＢＧＭ音量」が選択されると、表示制御部１２は、図２１の［５０２７］画面を表示して、ＢＧＭ音量の設定を可能にする。
【００７９】
［５０００］の「メニュー画面」が表示された状態で、「１２．エネＬＩＶＥ設定」が選択されると、表示制御部１２は、図２１の［５００４］画面を表示して、ガス，お湯，電気の使用量を初期画面に表示するか否かの設定を可能にする。また、表示制御部１２は、各使用量について、合計値と現在値のいずれを表示するかの設定を可能にする。
【００８０】
［５０００］の「メニュー画面」が表示された状態で、「１３．選べるＥｃｏモード」が選択されると、表示制御部１２は、図２２の［５００５］画面を表示して、［５００６］画面によるＥｃｏモード運転の設定と、［５００７］，［５００８］画面によるＥｃｏモード選択の設定を可能にする。
【００８１】
［５０００］の「メニュー画面」が表示された状態で、「１４．Ｅｃｏシグナル設定」が選択されると、表示制御部１２は、図２２の［５０１５］画面を表示して、Ｅｃｏシグナルの解除及び点灯条件の設定を可能にする。
【００８２】
［５０００］の「メニュー画面」が表示された状態で、「９．ふろ」が選択されると、表示制御部１２は、図２３の［５０１５］画面を表示して「１．ふろ温度」〜「３．半身浴」の選択を可能にする。そして、表示制御部１２は、「１．ふろ温度」が選択されたときは［５０１８］画面を表示し、「２．ふろ水位」が選択されたときは［５０１９］画面を表示し、「３．半身浴」が選択されたときは［５０２０］，［５０２１］，［５０２３］画面を表示して、各表示項目の設定を可能にする。
【００８３】
［５０００］の「メニュー画面」が表示された状態で、「６．浴室暖房」が選択されると、表示制御部１２は、図２４の［５０２５］画面を表示して浴室暖房運転の開始と停止の指示を可能にする。
【００８４】
［５０００］の「メニュー画面」が表示された状態で、「１１．まとめてＬＩＶＥ」が選択されると、表示制御部１２は、図２４の［５０４０］画面を表示して、ガス，お湯，電気又は、ガス，お湯の使用量の現在値を表示する。
【００８５】
［５０００］の「メニュー画面」が表示された状態で、「１０．リモコン」が選択されると、表示制御部１２は、図２４の［５０２６］画面を表示して、「１．リモコン音声音量」〜「４．明るさ」の選択を可能にする。表示制御部１２は、「１．リモコン音声音量」が選択されると［５０２８］，［５０２９］画面を表示し、「２．故障ガイダンス」が選択されると［５０３２］画面を表示し、「４．明るさ」が選択されると［５０３４］画面を表示する。
【００８６】
［５０００］の「メニュー画面」が表示された状態で、「１５．その他」が選択されると、表示制御部１２は、図２５の［５０３５］画面を表示して静音運転を行なうか否かの設定を可能にする。
【００８７】
［５０００］の「メニュー画面」が表示された状態で、「８．ストップウォッチ」が選択されると、表示制御部１２は、図２５の［５０３７］画面を表示して、ストップウォッチのスタート／ストップ／リセットの指示を可能にする。
【００８８】
なお、本実施形態では、図４（ａ）に示したように、省エネ表示（エネルック（登録商標）マーク）の大きさ（大・小）を、運転状況の表示エリアＬの空き領域の大きさに応じて変更したが、省エネ表示の表示箇所はこれに限らず、表示部の適当な空き領域を選択して、省エネ表示の表示箇所とサイズを決定すればよい。
【００８９】
また、本実施形態では、省エネ表示を給湯設定温度の表示箇所の近傍に表示させたが、表示部の表示態様によっては、給湯設定温度の表示箇所からある程度離れた箇所に省エネ表示を表示させる場合にも、本発明の効果を得ることができる。
【符号の説明】
【００９０】
１…熱源機、２…台所リモコン、４…浴室リモコン、１０…コントローラ、１１…エネルギー消費量算出部、１２…表示制御部、２０，４０…表示部、２２，４２…メニュースイッチ、２３，４３…ダウンスイッチ、２４，４４…アップスイッチ、２５，４５…決定スイッチ、２６，４５…設定スイッチ、２７…エネルック（登録商標）スイッチ、６０…浴室暖房機、６１…第１床暖房機、６２…第２床暖房機、Ｌ…運転状況の表示エリア、Ｓ…エネルック（登録商標）マーク。
【図１】
2012112559.tif 000003
【図２】
2012112559.tif 000004
【図３】
2012112559.tif 000005
【図４】
2012112559.tif 000006
【図５】
2012112559.tif 000007
【図６】
2012112559.tif 000008
【図７】
2012112559.tif 000009
【図８】
2012112559.tif 000010
【図９】
2012112559.tif 000011
【図１０】
2012112559.tif 000012
【図１１】
2012112559.tif 000013
【図１２】
2012112559.tif 000014
【図１３】
2012112559.tif 000015
【図１４】
2012112559.tif 000016
【図１５】
2012112559.tif 000017
【図１６】
2012112559.tif 000018
【図１７】
2012112559.tif 000019
【図１８】
2012112559.tif 000020
【図１９】
2012112559.tif 000021
【図２０】
2012112559.tif 000022
【図２１】
2012112559.tif 000023
【図２２】
2012112559.tif 000024
【図２３】
2012112559.tif 000025
【図２４】
2012112559.tif 000026
【図２５】
2012112559.tif 000027